(57)【特許請求の範囲】
【請求項１】
振動に応じて撮像装置の光学部品又は撮像素子を駆動して、振動による撮像への影響を低減させる振動補正制御回路であって、
撮像装置の振動を検出する振動検出素子からの出力信号及び前記光学部品又は前記撮像素子の位置を検出する位置検出素子からの出力信号をデジタル信号に変換する少なくとも１つのアナログ／デジタル変換回路と、
前記アナログ／デジタル変換回路でデジタル化された前記振動検出素子の出力信号と、前記アナログ／デジタル変換回路でデジタル化された前記位置検出素子の出力信号と、に基づいて、前記光学部品又は前記撮像素子を駆動するための制御信号を生成するロジック回路と、を備え、
前記ロジック回路は、
前記振動検出素子の出力信号を処理するハイパスフィルタと、
前記ハイパスフィルタで処理された前記振動検出素子からの出力信号から撮像装置のパン動作又はチルト動作を判定するパン・チルト判定回路と、
撮像時において、前記パン・チルト判定回路の判定結果に応じて前記ハイパスフィルタで処理された前記振動検出素子からの出力信号を増幅するゲイン値を調整し、
前記振動検出素子の異常判定時において、前記判定結果に依らず前記振動検出素子からの出力信号を増幅するゲイン値を所定値とするゲイン調整回路、を含み、
前記ハイパスフィルタを無効化するとともに、パン動作及びチルト動作並びに手振れ動作がない状態に撮像装置を固定し、前記アナログ／デジタル変換回路でデジタル信号に変換された前記振動検出素子からの出力信号の振幅を増幅した前記ゲイン調整回路からの出力信号に基づいて、前記ゲイン調整回路からの出力信号が所定の振幅範囲にない場合に前記振動検出素子が異常であるとの異常判定を行うことを特徴とする振動補正制御回路。
【請求項２】
請求項１に記載の振動補正制御回路であって、
前記ロジック回路は、
撮像時において、前記アナログ／デジタル変換回路でデジタル化された前記振動検出素子からの出力信号を受けて、第１の周波数以上の信号のみを前記ゲイン調整回路へ出力し、
前記振動検出素子の異常判定時において、前記ハイパスフィルタの無効化に代えて、前記アナログ／デジタル変換回路でデジタル化された前記振動検出素子からの出力信号を前記第１の周波数よりも低い第２の周波数以上の信号のみを前記ゲイン調整回路へ出力するように前記ハイパスフィルタを設定する、
ことを特徴とする振動補正制御回路。
【請求項３】
請求項１又は２に記載の振動補正制御回路であって、
前記振動検出素子からの出力信号の振幅が第１閾値以下、又は、前記第１閾値より大きい第２閾値以上である場合に前記振動検出素子が異常であると判定することを特徴とする振動補正制御回路。
【請求項４】
請求項１〜３のいずれか一項に記載の振動補正制御回路であって、
前記振動検出素子の出力信号を撮像時よりも大きいゲイン値で増幅した出力信号の振幅に基づいて、前記振動検出素子の異常判定を行うこと特徴とする振動補正制御回路。
【請求項５】
請求項１〜４のいずれか一項に記載の振動補正制御回路を備えた撮像装置であって、
前記振動検出素子と、
前記光学部品又は前記撮像素子の位置を検出する位置検出素子と、
前記振動補正制御回路に接続され、前記制御信号に応じて前記光学部品又は前記撮像素子を駆動する駆動素子と、
を備えたことを特徴とする撮像装置。
【発明の詳細な説明】
【技術分野】
【０００１】
本発明は、撮像装置に組み込まれる振動補正制御回路に関する。
【背景技術】
【０００２】
近年、デジタルスチルカメラやデジタルビデオカメラ等の撮像装置は、それに備わる撮像素子の画素数を増加させることによって高画質化を実現している。その一方で、撮像装置の高画質化を実現する他の方法として、撮像装置を持つ手のぶれによって生じる被写体のぶれを防止するために、撮像装置は手振れ補正機能を備えることが望まれている。
【０００３】
具体的には、撮像装置はジャイロセンサなどの検出素子を備え、撮像装置の振動によって生じる角速度成分に応じてレンズや撮像素子などの光学部品を駆動して被写体のぶれを防止する。これによって、撮像装置が振動しても、取得される映像信号に振動の成分が反映されることはなく、像ぶれのない高画質な映像信号を取得することができる。
【０００４】
図４に、手振れ補正機能を実現するために用いられる、従来の振動補正制御回路１００のブロック図を示す。振動補正制御回路１００は撮像装置に備えられ、撮像装置に備えられる主制御回路（図示せず）の制御に応じて動作する。振動補正制御回路１００は位置検出素子１０２、レンズ駆動素子１０４及び振動検出素子１０６に接続される。
【０００５】
位置検出素子１０２は、撮像装置に用いられるレンズの位置を検出する。位置検出素子１０２はホール素子とすることができ、レンズの絶対位置に応じた誘導電流を生じ、電圧信号を出力する。レンズ駆動素子１０４はボイスコイルモータとすることができる。振動補正制御回路１００は、レンズ駆動素子１０４に加える電圧値を調整することによってボイスコイルモータの可動コイルの位置、すなわち基準となる光軸に対するレンズの位置を制御する。レンズ駆動素子１０４は、撮像装置の基準光軸に対して垂直な面内でレンズを駆動する。振動検出素子１０６は、撮像装置の振動を検出してその結果を振動補正制御回路１００に出力する。振動検出素子１０６はジャイロセンサとすることができる。撮像装置に加えられた振動に応じた角速度信号を生成して、振動補正制御回路１００に出力する。
【０００６】
位置検出素子１０２、レンズ駆動素子１０４及び振動検出素子１０６はそれぞれ少なくとも２つの素子から構成されることが好適である。例えば、撮像装置の光軸に垂直な面において水平成分と垂直成分に対応した複数の素子を設けて、レンズの位置検出、レンズの移動及び撮像装置の振動検出を行う。
【０００７】
次に、振動補正制御回路１００について詳細に説明する。振動補正制御回路１００は、サーボ回路１０、レンズドライバ１２、アナログ−デジタル変換回路（ＡＤＣ）１４、ＣＰＵ１６及びデジタル−アナログ変換回路（ＤＡＣ）１８を含んで構成される。
【０００８】
サーボ回路１０は、位置検出素子１０２の出力する電圧信号に応じて、レンズ駆動素子１０４を制御するための信号を生成する。サーボ回路１０は、外付けの抵抗素子やコンデンサ等を含んだアナログのフィルタ回路を含んで構成され、レンズの光軸と撮像装置に備えられる撮像素子の中心とが一致するように、レンズ駆動素子１０４を制御するための信号を生成する。レンズドライバ１２は、サーボ回路１０から出力された信号に基づいて、レンズ駆動素子１０４を駆動するためのレンズ駆動信号を生成する。
【０００９】
ＡＤＣ１４は、振動検出素子１０６が出力するアナログの角速度信号をデジタル信号に変換する。ＣＰＵ１６は、デジタルの角速度信号に基づいて、撮像装置の移動量を示す角度信号を生成する。ＣＰＵ１６は、メモリ（図示しない）に接続され、メモリに格納されたソフトウェアに基づいて角度信号の生成処理を行う。ＤＡＣ１８はＣＰＵ１６で生成されたデジタルの角度信号をアナログ信号に変換する。
【００１０】
ここで、サーボ回路１０は、ＤＡＣ１８が出力するアナログの角度信号と位置検出素子１０２の出力する電圧信号とを加算した信号に応じて、レンズ駆動素子１０４を駆動するためのレンズ駆動信号を生成する。つまり、手振れによる被写体ぶれを防止するために、撮像装置の移動量を示す角度信号に基づいてレンズの位置を変更して、撮像素子上の被写体像のぶれを抑制する。これによって、手振れによる被写体像のぶれを抑制して高画質な映像信号を得ることができる。
【００１１】
【特許文献１】特開平１０−２１３８３２号公報
【発明の開示】
【発明が解決しようとする課題】
【００１２】
ところで、振動補正制御回路の処理速度を向上させるためにサーボ回路、レンズドライバ、振動検出信号の処理回路をデジタル処理することができるロジック回路に置き換えることが望まれている。さらに、振動補正制御回路はデジタルカメラ等の撮像素子や撮像素子のレンズモジュールに組み込まれるので、ロジック回路化した場合においてもできるだけ小型化することが必要である。
【００１３】
また、撮像装置の製造時等において、撮像装置に組み込まれたジャイロセンサ等の振動検出素子が正常に機能しているか否かを判定するための機能を振動補正制御回路に組み込むことが望まれている。
【課題を解決するための手段】
【００１４】
本発明の１つの態様は、振動に応じて撮像装置の光学部品又は撮像素子を駆動して、振動による撮像への影響を低減させる振動補正制御回路であって、撮像装置の振動を検出する振動検出素子からの出力信号及び前記光学部品又は前記撮像素子の位置を検出する位置検出素子からの出力信号をデジタル信号に変換する少なくとも１つのアナログ／デジタル変換回路と、前記アナログ／デジタル変換回路でデジタル化された前記振動検出素子の出力信号と、前記アナログ／デジタル変換回路でデジタル化された前記位置検出素子の出力信号と、に基づいて、前記光学部品又は前記撮像素子を駆動するための制御信号を生成するロジック回路と、を備え、前記アナログ／デジタル変換回路でデジタル信号に変換された前記振動検出素子からの出力信号の振幅に基づいて前記振動検出素子の異常判定を行うことを特徴とする。
【００１５】
ここで、前記ロジック回路は、撮像装置のパン動作又はチルト動作を判定するパン・チルト判定回路と、撮像時において、前記パン・チルト判定回路の判定結果に応じて前記振動検出素子からの出力信号を増幅するゲイン値を調整し、前記振動検出素子の異常判定時において、前記判定結果に依らず前記振動検出素子からの出力信号を増幅するゲイン値を所定値とするゲイン調整回路、を含み、前記ゲイン調整回路からの出力信号に基づいて前記振動検出素子の異常判定を行うことが好適である。
【００１６】
また、前記ロジック回路は、撮像時において、前記アナログ／デジタル変換回路でデジタル化された前記振動検出素子からの出力信号を受けて、第１の周波数以上の信号のみを前記ゲイン調整回路へ出力し、前記振動検出素子の異常判定時において、前記アナログ／デジタル変換回路でデジタル化された前記振動検出素子からの出力信号を前記第１の周波数よりも低い第２の周波数以上の信号のみを前記ゲイン調整回路へ出力するハイパスフィルタ、を含むことが好適である。
【００１７】
さらに、前記振動検出素子からの出力信号の振幅が第１閾値以下、又は、前記第１閾値より大きい第２閾値以上である場合に前記振動検出素子が異常であると判定することが好適である。
【００１８】
また、前記振動検出素子の出力信号を撮像時よりも大きいゲイン値で増幅した出力信号の振幅に基づいて、前記振動検出素子の異常判定を行うことが好適である。
【００１９】
このような振動補正制御回路は撮像装置に適用することが好適である。例えば、本発明の振動補正制御回路を備えた撮像装置であって、前記振動検出素子と、前記光学部品又は前記撮像素子の位置を検出する位置検出素子と、前記振動補正制御回路に接続され、前記制御信号に応じて前記光学部品又は前記撮像素子を駆動する駆動素子と、を備えることが好適である。
【発明の効果】
【００２０】
本発明によれば、ロジック回路化された振動補正制御回路をより小型化することができる。また、ジャイロセンサ等の振動検出素子が正常であるか否かを判定することができる。
【発明を実施するための最良の形態】
【００２１】
本発明の実施形態における振動補正制御回路２００は、図１の機能ブロック図に示すように、アナログ／デジタル変換回路（ＡＤＣ）２０、加算回路２２、サーボ回路２４、ハイパスフィルタ（ＨＰＦ）２６、パン・チルト判定回路２８、ゲイン調整回路３０、積分回路３２、センタリング処理回路３４、デジタル／アナログ変換回路（ＤＡＣ）３６及びＣＰＵ３８を含んで構成される。
【００２２】
振動補正制御回路２００は、位置検出素子１０２、レンズ駆動素子１０４、振動検出素子１０６に接続される。これらの素子は従来技術に記載のものと同様である。すなわち、位置検出素子１０２は、レンズ駆動素子１０４で駆動されるレンズの位置を少なくとも直交変換可能なように測定できるように少なくとも２軸以上に対して設けられる。また、振動検出素子１０６も、ヨー方向及びピッチ方向の２軸に沿って振動の成分を直交変換可能なように少なくとも２軸以上に対して設けられる。
【００２３】
本実施の形態では、撮像装置のヨー方向（Ｘ軸方向）及びピッチ方向（Ｙ軸方向）についてレンズ位置及び振動を検出できるように位置検出素子１０２及び振動検出素子１０６を設置するものとして説明を行う。以下の説明では、位置検出素子１０２及び振動検出素子１０６の出力信号はＸ軸成分同士、Ｙ軸成分同士で加算処理などされ、それぞれに基づいてヨー方向（Ｘ軸方向）及びピッチ方向（Ｙ軸方向）にレンズ位置が制御される。
【００２４】
なお、被写体の移動などに応じて撮像装置を水平方向（ヨー方向）に動かすことをパン動作といい、鉛直方向（ピッチ方向）に移動させることをチルト動作という。
【００２５】
ＡＤＣ２０は、位置検出素子１０２、例えばホール素子から出力されたアナログの電圧信号をデジタル信号に変換する。ホール素子は、レンズに固定された磁石による磁力に応じた誘導電流を生成する。つまり、ホール素子は、レンズとの距離に応じてレンズの位置を示す電圧信号を出力し、ＡＤＣ２０はその電圧信号をデジタル信号に変換して位置信号として出力する。ＡＤＣ２０は、レンズの光軸と撮像装置に備えられる撮像素子の中心とが一致する場合に、基準を示す信号、例えば、“０”を示すデジタル値を出力する構成とする。
【００２６】
また、ＡＤＣ２０は、振動検出素子１０６、例えばジャイロセンサから出力されたアナログの角速度信号をデジタル信号に変換する。すなわち、ＡＤＣ２０は、位置検出素子１０２及び振動検出素子１０６からの出力信号を時分割でデジタル化して出力する。
【００２７】
具体的には、振動検出素子１０６で検出される振動のＸ軸成分の信号（Ｇｙｒｏ−Ｘ）、振動のＹ軸成分の信号（Ｇｙｒｏ−Ｙ）、位置検出素子１０２で検出されるレンズの位置のＸ軸成分の信号（Ｈａｌｌ−Ｘ）、位置のＹ軸成分の信号（Ｈａｌｌ−Ｙ）をデジタル化して出力する。ＡＤＣ２０は、信号（Ｇｙｒｏ−Ｘ，Ｇｙｒｏ−Ｙ）はＨＰＦ２６へ出力し、信号（Ｈａｌｌ−Ｘ，Ｈａｌｌ−Ｙ）は加算回路２２へ出力する。
【００２８】
ＨＰＦ２６は、通常の撮像モード時には、角速度信号に含まれる直流成分を除去し、撮像装置の振動が反映された角速度信号の高周波成分を抽出し、パン・チルト判定回路２８及びゲイン調整回路３０へ出力する。一方、振動検出素子１０６の異常判定モード時には、ＨＰＦ２６は、入力された信号をそのままパン・チルト判定回路２８及びゲイン調整回路３０へ出力する。
【００２９】
ＨＰＦ２６は、ＣＰＵ３８からのモード設定信号を受けて、通常の撮像モード及び異常判定モードのいずれか一方に排他的に設定される。ＨＰＦ２６は、デジタルフィルタの一種であるタップフィルタ等で構成することができる。通常の撮像モードと異常判定モードとのフィルタ特性の切り替えは、タップフィルタの各タップ係数を変更することによって行うことができる。
【００３０】
パン・チルト判定回路２８は、ＨＰＦ２６の出力する角速度信号に基づいて、撮像装置のパン動作、チルト動作を検出する。パン・チルト判定回路２８は、一定期間角速度信号が所定値以上となることを検出したときに、パン動作中またはチルト動作中であると判定する。
【００３１】
ゲイン調整回路３０は、撮像時には、パン・チルト判定回路２８の判定結果に応じてＨＰＦ２６から出力される角速度信号の増幅率を変更して、変更された増幅率で増幅した信号を出力する。例えば、パン動作中またはチルト動作中でない場合には、ゲイン調整回路３０はＨＰＦ２６が出力する角速度信号の強度を維持するようなゲイン調整を行う。また、パン動作中またはチルト動作中の場合には、ゲイン調整回路３０はＨＰＦ２６が出力する角速度信号の強度を減衰して出力が０となるようなゲイン調整を行う。
【００３２】
一方、振動検出素子１０６の異常判定モード時には、ゲイン調整回路３０は、パン・チルト判定回路２８の判定結果に関わらず、ＨＰＦ２６から出力される角速度信号を増幅してＣＰＵ３８へ出力する。
【００３３】
ゲイン調整回路３０は、ＣＰＵ３８からのモード設定信号を受けて、通常の撮像モード及び異常判定モードのいずれか一方に排他的に設定される。
【００３４】
積分回路３２は、ＨＰＦ２６が出力する角速度信号（Ｇｙｒｏ−Ｘ，Ｇｙｒｏ−Ｙ）を積分して、撮像装置の移動量を示す角度信号を生成する。積分回路３２は、図示しないデジタルフィルタを含んで構成することが好適であり、図示しないレジスタに設定されたフィルタ係数に応じたフィルタ処理を行うことによって角速度信号を９０°だけ遅延させて角度信号、つまり撮像装置の移動量を求める。
【００３５】
撮像装置において手振れ補正処理を行う場合、補正処理を継続して実行するうちにレンズの位置が基準位置から徐々に離れていき、レンズの可動範囲の限界点付近に達する場合がある。このとき、手振れ補正処理を継続すると、レンズはある一方の方向には移動できるが、他方には移動できなくなる。センタリング処理回路３４はこれを防止するために設けられるものである。
【００３６】
加算回路２２は、ＡＤＣ２０の出力する位置信号（Ｈａｌｌ−Ｘ）とセンタリング処理回路３４によって位相調整された振動成分信号（ＳＶ−Ｘ）を加算し、また、ＡＤＣ２０の出力する位置信号（Ｈａｌｌ−Ｙ）とセンタリング処理回路３４によって位相調整された振動成分信号（ＳＶ−Ｙ）を加算してサーボ回路２４へ出力する。
【００３７】
サーボ回路２４は、加算回路２２からの出力信号に応じて、レンズ駆動素子１０４の駆動を制御する補正信号ＳＲを生成する。サーボ回路２４は、レジスタとデジタルフィルタ回路を含んで構成され、レジスタに格納されるフィルタ係数を用いたフィルタ処理を行う。
【００３８】
ＤＡＣ３６はデジタルの補正信号ＳＲをアナログ信号に変換する。ＤＡＣ３６によってアナログ化された補正信号ＳＲに基づいて、レンズ駆動素子１０４によりＸ軸方向及びＹ軸方向についてそれぞれ撮像装置のレンズが駆動される。
【００３９】
ＣＰＵ３８は、振動補正制御回路２００を統合的に制御する。ＣＰＵ３８は、振動補正制御回路２００の各部のフィルタ係数（タップフィルタのタップ係数等）、ゲイン値等を設定する。また、振動補正制御回路２００の外部に設けられた撮像装置の主制御部（メインＣＰＵ等）２０２からモード設定信号を受けて、振動補正制御回路２００を通常の撮像モード又は振動検出素子の異常判定モードに設定する。
【００４０】
＜撮像時の手ぶれ補正処理＞
振動補正制御回路２００を用いた、手振れによる被写体のぶれを補正するためのレンズの移動制御について説明する。通常の撮像時において手ぶれ補正を行う場合、ＣＰＵ３８は通常の撮像モードに設定するモード設定信号をＨＰＦ２６及びゲイン調整回路３０へ出力し、ＨＰＦ２６及びゲイン調整回路３０は通常の撮像モードに設定される。
【００４１】
まず、手振れによる被写体のぶれのない場合について説明する。レンズ駆動素子１０４によって駆動されるレンズの位置は、その光軸と撮像装置に備えられる撮像素子の中心が一致するため、ＡＤＣ２０は“０”を示すデジタルの位置信号（Ｈａｌｌ−Ｘ，Ｈａｌｌ−Ｙ）を出力する。サーボ回路２４は、位置信号（Ｈａｌｌ−Ｘ，Ｈａｌｌ−Ｙ）の値が“０”のとき、現在のレンズの位置を維持するようにレンズ駆動素子１０４を制御する補正信号ＳＲを出力する。
【００４２】
また、レンズの光軸と撮像素子の中心とが一致しない場合、ＡＤＣ２０は“０”と異なる値を示すデジタルの位置信号（Ｈａｌｌ−Ｘ，Ｈａｌｌ−Ｙ）を出力する。サーボ回路２４は、ＡＤＣ２０の出力する値に応じて、位置信号（Ｈａｌｌ−Ｘ，Ｈａｌｌ−Ｙ）の値が“０”となるようにレンズ駆動素子１０４を制御する補正信号ＳＲを出力する。上記の動作を繰り返すことによって、レンズの光軸と撮像素子の中心とが一致するように、レンズの位置を制御する。
【００４３】
次に、手振れによって被写体のぶれが生じた場合について説明する。レンズ駆動素子１０４によって駆動されるレンズの位置は、その光軸と撮像装置に備えられる撮像素子の中心が一致するため、ＡＤＣ２０は“０”を示すデジタルの位置信号（Ｈａｌｌ−Ｘ，Ｈａｌｌ−Ｙ）を出力する。一方、手振れによって撮像装置が移動するため、積分回路３２及びセンタリング処理回路３４は撮像装置の移動量を示す振動成分信号（ＳＶ−Ｘ，ＳＶ−Ｙ）を出力する。
【００４４】
サーボ回路２４は、ＡＤＣ２０が出力する“０”を示す位置信号（Ｈａｌｌ−Ｘ）とセンタリング処理回路３４が出力する振動成分信号（ＳＶ−Ｘ）とを加算した信号に応じて補正信号ＳＲを生成する。このとき、位置信号（Ｈａｌｌ−Ｘ）は“０”であるにも関わらず、“０”でない振動成分信号（ＳＶ−Ｘ）が加算されているため、サーボ回路２４はレンズを移動させる補正信号ＳＲを生成する。この補正信号ＳＲに応じてＸ軸のレンズ駆動素子１０４を制御する。同様に、ＡＤＣ２０が出力する“０”を示す位置信号（Ｈａｌｌ−Ｙ）とセンタリング処理回路３４が出力する振動成分信号（ＳＶ−Ｙ）とを加算した信号に応じて、補正信号ＳＲを生成する。このとき、位置信号（Ｈａｌｌ−Ｙ）は“０”であるにも関わらず、“０”でない振動成分信号（ＳＶ−Ｙ）が加算されているため、サーボ回路２４はレンズを移動させる補正信号ＳＲを生成する。この補正信号ＳＲに応じてＹ軸のレンズ駆動素子１０４を制御する。サーボ回路２４が出力する補正信号ＳＲに基づいて、レンズ駆動素子１０４はレンズを移動させるため、撮像装置に備えられた撮像素子は手振れによる被写体のぶれを抑制した信号を得ることができる。このような制御を繰り返すことによって、振動補正制御回路２００は手振れ補正制御を実現している。
【００４５】
本発明の実施形態では、振動検出素子１０６から得られた角速度信号から撮像装置の移動量を示す角度信号を生成する際、ＨＰＦ２６、積分回路３２及びセンタリング処理回路３４を用いて生成する構成とした。これによって、角度信号の生成のためにＣＰＵ３８を用いる必要がなくなり、振動補正制御回路２００での消費電力を低減することができる。
【００４６】
また、本発明の実施形態では、振動補正制御回路２００はＨＰＦ２６、積分回路３２及びセンタリング処理回路３４を設ける構成としたことによって、ＣＰＵ３８によって上記処理を行う構成に比べて回路面積を縮小することが可能となる。これによって、振動補正制御回路２００が搭載される半導体チップのコストを低減することが可能となる。
【００４７】
＜振動検出素子の異常判定処理＞
次に、振動補正制御回路２００を用いた、振動検出素子１０６の異常判定処理について説明する。振動検出素子１０６の異常判定処理を行う場合、ＣＰＵ３８は異常判定モードに設定するモード設定信号をＨＰＦ２６及びゲイン調整回路３０へ出力し、ＨＰＦ２６及びゲイン調整回路３０は異常判定モードに設定される。振動検出素子１０６の異常判定処理を行う場合、振動が生じないように撮像装置は固定して行う。
【００４８】
撮像装置が固定され、振動検出素子１０６が振動を検出していない場合であっても、図２のラインＡに示すように、正常に機能している振動検出素子１０６は微弱な振動信号を出力し続けている。一方、振動検出素子１０６が正常に機能していない場合や振動検出素子１０６が振動補正制御回路２００に正常に接続されていない場合には、図２のラインＢに示すように正常時よりも大きな振幅を有するノイズが重畳したり、図２のラインＣに示すように正常時よりも振幅が小さくなったりする。
【００４９】
振動検出素子１０６からの出力信号（Ｇｙｒｏ−Ｘ，Ｇｙｒｏ−Ｙ）は、ＡＤＣ２０によりデジタル化されてＨＰＦ２６へ入力される。異常判定モードでは、ＨＰＦ２６は無効化されており、入力された信号をそのままパン・チルト判定回路２８及びゲイン調整回路３０へ出力する。ゲイン調整回路３０は、パン・チルト判定回路２８における判定結果に関わらず、振動検出素子１０６からの出力信号を所定のゲイン値（通常の撮像モードのときよりも大きいゲイン値）で増幅してＣＰＵ３８へ出力する。
【００５０】
ＣＰＵ３８は、ゲイン調整回路３０で増幅された振動検出素子１０６からの出力信号を受けて、その入力信号の振幅に基づいて異常判定処理を行う。例えば、図３に示すように、入力信号の振幅が第１閾値ＴＨ１より大きく、かつ、第２閾値ＴＨ２より小さい範囲（図３中のハッチングを施した範囲）にあれば振動検出素子１０６が正常であると判定する。一方、入力信号の振幅が第１閾値ＴＨ１以下、又は、第２閾値ＴＨ２以上の範囲（図３中のハッチングを施していない範囲）にあれば振動検出素子１０６が異常であると判定する。図３では、説明を分かり易くするためにアナログ信号で描いているが、実際にはデジタル信号である。
【００５１】
本実施の形態のように、ＨＰＦ２６が無効化され、入力された信号をそのままゲイン調整回路３０へ出力することにより、異常判定モード時の振動検出素子１０６の微弱な振動信号が直接増幅されるので、異常判定処理をより正確に行うことができ好適である。ただし、異常判定モード時のＨＰＦ２６のフィルタ特性を通常の撮像モード時よりも低周波成分を透過するように設定することも有用であるし、通常の撮像モード時と同じにすることも可能である。
【００５２】
ＣＰＵ３８は、必要に応じて、判定結果を外部の主制御部（メインＣＰＵ等）２０２に出力する。
【００５３】
以上のように、振動補正制御回路２００では振動検出素子１０６の異常判定処理を行うことができる。これにより、例えば、撮像装置の出荷前に、組み込まれたジャイロセンサ等の振動検出素子が正常であるか異常であるかを判定することができる。
【００５４】
なお、本実施の形態では、ゲイン調整回路３０のゲイン値を通常の撮像モードのときよりも大きいものとしたが、振動検出素子１０６とＡＤＣ２０の間にある増幅回路のゲイン値を通常の撮像モードのときよりも大きくしてもよい。また、本実施の形態では、ゲイン調整回路３０で増幅された信号を用いて異常判定処理を行ったがこれに限定されるものではなく、ＡＤＣ２０においてデジタル化された後の信号であればよい。例えば、ＡＤＣ２０の出力信号をＣＰＵ３８へ直接出力し、その信号に基づいて異常判定を行ってもよい。
【００５５】
なお、本発明の実施形態では、位置検出素子１０２、レンズ駆動素子１０４、振動検出素子１０６はそれぞれ、ホール素子、ボイスコイルモータ、ジャイロセンサとしたが、本願はそれに限られるものではない。例えば、レンズ駆動素子１０４はピエゾ素子を用いることができる。また、振動検出素子１０６は、直線方向の加速度を検出するセンサを用いて、加速度信号に基づいて撮像装置の振動を検出する構成とすることができる。
【００５６】
また、本発明の実施形態では、レンズを駆動させて手振れ補正処理を行うレンズシフト方式としたが、本発明はこれに限られるものではない。たとえば、本発明は、撮像装置のぶれに応じてＣＣＤ素子などの撮像素子をシフトさせる撮像素子シフト方式にも適用することができる。このとき、位置検出素子１０２は撮像素子の位置を検出し、レンズ駆動素子１０４は撮像素子を駆動する素子とすることができる。
【図面の簡単な説明】
【００５７】
【図１】本発明の実施の形態における振動補正制御回路の構成を示す図である。
【図２】本発明の実施の形態における正常時及び異常時における振動検出素子の出力信号を示す図である。
【図３】本発明の実施の形態における振動検出素子の異常判定処理を説明する図である。
【図４】従来の振動補正制御回路の構成を示す図である。
【符号の説明】
【００５８】
１０  サーボ回路、１２  レンズドライバ、２０  アナログ／デジタル変換回路、２２  加算回路、２４  サーボ回路、２６  ハイパスフィルタ、２８  パン・チルト判定回路、３０  ゲイン調整回路、３２  積分回路、３４  センタリング処理回路、３６  デジタル／アナログ変換回路、３８  ＣＰＵ、１００，２００  振動補正制御回路、１０２  位置検出素子、１０４  レンズ駆動素子、１０６  振動検出素子、２０２  主制御部。
【図１】
0005237622.tif 000002
【図２】
0005237622.tif 000003
【図３】
0005237622.tif 000004
【図４】
0005237622.tif 000005